【手続補正書】
【提出日】平成25年11月29日(2013.11.29)
【手続補正１】
【補正対象書類名】明細書
【補正対象項目名】００２２
【補正方法】変更
【補正の内容】
【００２２】
【図１】本発明の第１の実施の形態に係る立体表示装置の一構成例を表すブロック図である。
【図２】図１に示した立体表示装置の一構成例を表す説明図である。
【図３】図１に示した表示駆動部および表示部の一構成例を表すブロック図である。
【図４】図３に示した画素の一構成例を表す回路図である。
【図５】図１に示した液晶バリア部の一構成例を表す説明図である。
【図６】図１に示した液晶バリア部のグループ構成例を表す説明図である。
【図７】図１に示したバリア駆動信号の一波形例を表すタイミング波形図である。
【図８】図１に示した表示部および液晶バリア部の一動作例を表す模式図である。
【図９】図１に示した表示部および液晶バリア部の一動作例を表す他の模式図である。
【図１０】図１に示した立体表示装置の一動作例を表すタイミング図である。
【図１１】図１に示した液晶バリア部の一動作例を表すタイミング図である。
【図１２】第１の実施の形態の変形例に係るバリア駆動信号の一波形例を表すタイミング波形図である。
【図１３】第１の実施の形態の他の変形例に係るバリア駆動信号の一波形例を表すタイミング波形図である。
【図１４】第１の実施の形態の他の変形例に係る立体表示装置の一動作例を表すタイミング図である。
【図１５】第１の実施の形態の他の変形例に係るバリア駆動信号の一波形例を表すタイミング波形図である。
【図１６】本発明の第２の実施の形態に係る立体表示装置の一構成例を表すブロック図である。
【図１７】図１６に示したバリア駆動信号の一波形例を表すタイミング波形図である。
【図１８】変形例に係る立体表示装置の一構成例を表す説明図である。
【図１９】変形例に係る立体表示装置の一動作例を表す模式図である。
【図２０】他の変形例に係る液晶バリアの一構成例を表す平面図である。
【図２１】他の変形例に係る表示部および液晶バリアの一動作例を表す模式図である。
【図２２】他の変形例に係る立体表示装置の一動作例を表すタイミング図である。
【手続補正２】
【補正対象書類名】明細書
【補正対象項目名】００４１
【補正方法】変更
【補正の内容】
【００４１】
バリア駆動部４１は、立体視表示を行う際、同じグループに属する複数の開閉部１２が同じタイミングで開閉動作を行うように駆動するとともに、グループ間では異なるタイミングで開閉動作を行うように駆動する。具体的には、バリア駆動部４１は、後述するように、グループＡに属する複数の開閉部１２Ａに対してバリア駆動信号ＤＲＶＡを供給し、グループＢに属する複数の開閉部１２Ｂに対して、バリア駆動信号ＤＲＶＢを供給する。この例では、バリア駆動信号ＤＲＶＡ，ＤＲＶＢは、同じ波形形状を有するとともに、互いに位相がずれたものである。そして、複数の開閉部１２Ａおよび複数の開閉部１２Ｂは、時分割的に交互に開閉動作するようになっている。
【手続補正３】
【補正対象書類名】明細書
【補正対象項目名】００４２
【補正方法】変更
【補正の内容】
【００４２】
図７は、バリア駆動部４１が生成するバリア駆動信号ＤＲＶＡ，ＤＲＶＢの一波形例を表すものである。バリア駆動部４１は、交流駆動により、液晶バリア部１０を駆動する。バリア駆動信号ＤＲＶＡ，ＤＲＶＢは、それぞれ、閉駆動波形部分Ｗｃと、開駆動波形部分Ｗｏと、準備駆動波形部分Ｗpreとを有する、周期的な信号である。
【手続補正４】
【補正対象書類名】明細書
【補正対象項目名】００５２
【補正方法】変更
【補正の内容】
【００５２】
（全体動作概要）
まず、図１を参照して、立体表示装置１の全体動作概要を説明する。制御部４０は、外部より供給される映像信号Ｓdispに基づいて、表示駆動部５０、バックライト駆動部４２、およびバリア駆動部４１に対してそれぞれ制御信号を供給し、これらがお互いに同期して動作するように制御する。バックライト駆動部４２は、制御部４０から供給されるバックライト制御信号ＣＢＬに基づいてバックライト３０を駆動する。バックライト３０は、面発光した光を表示部２０に対して射出する。表示駆動部５０は、制御部４０から供給される映像信号Ｓに基づいて表示部２０を駆動する。表示部２０は、バックライト３０から射出した光を変調することにより表示を行う。バリア駆動部４１は、制御部４０から供給されるバリア制御信号ＣＢＲに基づいてバリア駆動信号ＤＲＶを生成し、液晶バリア部１０に供給する。液晶バリア部１０の開閉部１１，１２（１２Ａ，１２Ｂ）は、バリア制御信号ＣＢＲに基づいて開閉動作を行い、バックライト３０から射出し表示部２０を透過した光を透過または遮断する。
【手続補正５】
【補正対象書類名】明細書
【補正対象項目名】００５５
【補正方法】変更
【補正の内容】
【００５５】
映像信号ＳＡが供給された場合には、図９（Ａ）に示したように、表示部２０の画素Ｐｉｘのそれぞれは、映像信号ＳＡに含まれる６つの視点映像のそれぞれに対応する画素情報Ｐ１〜Ｐ６を表示する。このとき、画素情報Ｐ１〜Ｐ６は、開閉部１２Ａ付近に配置された画素Ｐｉｘにそれぞれ表示される。映像信号ＳＡが供給された場合には、液晶バリア部１０では、開閉部１２Ａが開状態（透過状態）になるとともに、開閉部１２Ｂが閉状態になるように制御されている。表示部２０の各画素Ｐｉｘから出た光は、開閉部１２Ａによりそれぞれ角度が制限されて出力される。観察者は、例えば左眼で画素情報Ｐ３を、右眼で画素情報Ｐ４を見ることにより、立体的な映像を見ることができる。
【手続補正６】
【補正対象書類名】明細書
【補正対象項目名】００５６
【補正方法】変更
【補正の内容】
【００５６】
映像信号ＳＢが供給された場合には、図９（Ｂ）に示したように、表示部２０の画素Ｐｉｘのそれぞれは、映像信号ＳＢに含まれる６つの視点映像のそれぞれに対応する画素情報Ｐ１〜Ｐ６を表示する。このとき、画素情報Ｐ１〜Ｐ６は、開閉部１２Ｂ付近に配置された画素Ｐｉｘにそれぞれ表示される。映像信号ＳＢが供給された場合には、液晶バリア部１０では、開閉部１２Ｂが開状態（透過状態）になるとともに、開閉部１２Ａが閉状態になるように制御されている。表示部２０の各画素Ｐｉｘから出た光は、開閉部１２Ｂによりそれぞれ角度が制限されて出力される。観察者は、例えば左眼で画素情報Ｐ３を、右眼で画素情報Ｐ４を見ることにより、立体的な映像を見ることができる。
【手続補正７】
【補正対象書類名】明細書
【補正対象項目名】００７１
【補正方法】変更
【補正の内容】
【００７１】
バリア駆動部４１がバリア駆動信号ＤＲＶＡ，ＤＲＶＢの準備駆動波形部分Ｗpreおよび開駆動波形部分Ｗｏを開閉部１２Ａ，１２Ｂに対して印加することにより（図１１（Ａ））、開閉部１２Ａ，１２Ｂにおける光の透過率Ｔは、図１１（Ｂ）に示したように、その準備駆動波形部分Ｗpreにおけるプレ電圧Ｖpreに応じて変化する。
【手続補正８】
【補正対象書類名】明細書
【補正対象項目名】００７４
【補正方法】変更
【補正の内容】
【００７４】
図１１（Ｂ）に示したように、開閉部１２Ａ，１２Ｂは、適切なプレ電圧Ｖpreを印加することにより、立ち上がり時間Ｔｒを短くすることができる。これは、以下の理由による。ＶＡモードの液晶分子は、閉状態（遮断状態）では透明基板１３，１６に垂直に配向しており、開状態（透過状態）にすべく透明電極１７にバリア駆動信号ＤＲＶ（閉駆動波形部分Ｗｃ）が印加されると、透明電極１５，１７間の電位差に基づいて透明基板１３，１６に平行な面に向かって倒れるように動作する。このとき、液晶分子の倒れる方向を決めるため、しばしば、閉状態における液晶分子を、垂直方向から若干ずれた所定の方位に配向させる、いわゆるプレチルトを付ける方法が用いられる。しかしながら、この所定の方位に配向している液晶分子を倒す際、透明電極１７に対して閉駆動波形部分Ｗｃの直後に開駆動波形部分Ｗｏが印加された場合には、液晶分子は、過渡的にその配向方位が乱れて倒れてしまい、その後所定の安定した方位に戻るのに時間がかかり、応答が遅くなる。本実施の形態では、バリア駆動部４１が、透明電極１７に対して、開駆動波形部分Ｗoを印加する前に準備駆動波形部分Ｗpre（プレ電圧Ｖpre）を印加することにより、この配向方位の乱れを低減し、液晶分子をそのプレチルトで定めた最終的に安定する方向に若干倒すことができる。これにより、液晶分子の倒れる方向が定まるため、液晶分子は、透明電極１７に開駆動波形部分Ｗoが印加されたときには、その方向に向かってすぐに倒れることができる。
【手続補正９】
【補正対象書類名】明細書
【補正対象項目名】０１０１
【補正方法】変更
【補正の内容】
【０１０１】
このように、開閉部１２Ａ，１２Ｂ，１２Ｃを時分割的に交互に開放して映像を表示することにより、この変形例に係る立体表示装置は、開閉部１２Ａのみをもつ場合に比べ、３倍の解像度を実現することが可能となる。言い換えれば、この立体表示装置の解像度は、２次元表示の場合に比べ１／２（＝１／６×３）で済むこととなる。